(57)【特許請求の範囲】
【請求項１】
発光素子の２つのリード部をそれぞれ２本の電線へと接続する発光素子接続ユニットであって、
上部が前記発光素子の各リード部に接触し得て、下部が各電線に接触し得る２つの端子と、
前記各端子が上下を貫通するように該各端子を収容するハウジングと、
該ハウジングが前記端子を収容した状態で、前記発光素子の各リード部が前記各端子に接触可能に、該各端子の上部を覆うカバーとを備えており、
前記各端子は、
上部に設けられ、前記カバーが該端子の上部を覆った状態で、前記発光素子の各リード部を押圧可能なバネ部と、
下部に設けられ、前記ハウジングが該端子を収容した状態で、前記電線に接合される接合部と、
前記バネ部と前記接合部との間で側方へと屈曲した屈曲部と、
前記ハウジングが該端子を収容した状態で、前記ハウジングと係止する係止部とを有し、
前記ハウジングは、
前記各端子がその下端側から挿入され得る２つの上側挿入孔と、
該上側挿入孔の下端に形成され、前記各端子の前記屈曲部の下面に接触して該各端子の下方への移動を規制する２つの接触部と、
該接触部の下方に形成されており、前記各端子の前記屈曲部より下側の部分が、その下端側から挿入され得る２つの下側挿入孔と、
前記各端子の前記係止部と係合して該各端子の移動を規制する２つの係合部とを有することを特徴とする発光素子接続ユニット。
【請求項２】
前記カバーは、
側面に形成された係止孔を有し、
前記ハウジングは、
各上側挿入孔の内側の内壁面から各側壁面が連続しており、前記各端子の側面が、前記各側壁面に当接するように、上方へと突出しているとともに、前記カバーの前記係止孔に挿入され得る係止突起が形成されている突部を有することを特徴とする請求項１に記載の発光素子接続ユニット。
【請求項３】
前記カバーには、
前記発光素子の各リード部の断面に合わせた断面形状を持つ挿通孔が形成されていることを特徴とする請求項１又は請求項２に記載の発光素子接続ユニット。
【請求項４】
電線により複数接続された、請求項１乃至請求項３のいずれか一項に記載の発光素子接続ユニットを備えたことを特徴とするランプ。
【発明の詳細な説明】
【技術分野】
【０００１】
本発明は、発光素子の２つのリード部をそれぞれ２本の電線へと接続する発光素子接続ユニット等に関する。この発光素子接続ユニットは、複数接続されて、例えば、車両のリヤコンビネーションランプとして用いられる。
【背景技術】
【０００２】
従来から知られたこの種のランプの一つとして、ランプボディに、複数のＬＥＤ（発光ダイオード）を接続するものがある（特許文献１参照）。このランプボディの上面側には、略正方形のＬＥＤ被着部が、縦横へと並んだ各段部の上面に位置するように複数形成されていて、このＬＥＤ被着部のそれぞれに、２つの放熱板、ＬＥＤの２つのリード部、及び、略Ｍ字型をした２つの接続端子が、それぞれ、正負の電極ごとに順に組み付けられていく。
【０００３】
この従来のランプで、ＬＥＤはランプボディに直接組み付けるようになっている。即ち、その組み付けに際して、各接続端子のＭ字の中央に当たる突出部が、ＬＥＤの各リード部を押さえながら、Ｍ字の両端部が、それぞれ、各放熱板に設けられた２つの孔を通って、さらに、ＬＥＤ被着部に設けられた２つの挿通孔に挿通されていく。
【０００４】
そして、ランプボディの裏面側では、電線が成形されて配索される。この電線によって、ランプボディの上面側から裏面側へと挿通された、一つのＬＥＤに対応する接続端子の一端が、他のＬＥＤに対応する接続端子の一端に適宜接続され、ランプ回路が構成されるようになっている。
【０００５】
さらに、このようなランプの他に、電線に代えて、バスバーを用いるものがある。このバスバーを用いるランプでは、図１２に示すように、上記同様に段状に形成されたランプボディの上面側の配線板１００上に、バスバー１０１が取り付けられていて、このバスバー１０１に、ＬＥＤ１０２のリード部１０２ａ，１０２ｂが溶接されるようになっている。ランプボディは合成樹脂を成形したものであり、配線板１００とバスバー１０１とは、配線板１００のボス部１０３にて熱溶着されている。
【０００６】
【特許文献１】特開２００６−２１０１８７号公報（図１、図４等）
【発明の開示】
【発明が解決しようとする課題】
【０００７】
しかしながら、上記特許文献１のランプにおいて、複数のＬＥＤは、順に、比較的大きなランプボディに直接組み付けられていくため、組み付け作業が進め難く、組み付けに時間がかかる。また、ランプボディの裏面への電線の配索に先立って、専用の大掛かりなフォーミングマシンにより、そのランプボディの段形状に合わせ電線を屈曲させるようになっている。
【０００８】
さらに、このランプで、ランプボディが有する形状は、ＬＥＤの配置に応じて固定的に設定される。つまり、車両の意匠がマイナーチェンジ等により変更され、これに合わせてランプの形状が変更されると、それに伴い、ランプボディの形状を変更する必要が生じる。言い換えれば、この従来のランプでは、そのまま流用可能な部品が比較的に少なく、これにより、複数種類のランプについてみると、全体の製造費が小さく抑えられないことになる。
【０００９】
また、バスバーを用いた図１２のランプによると、溶接され熱溶着される部分が多いため、上記特許文献１に記載のランプよりもさらに、組み付け作業に時間がかかる。また、図１２に示すランプでは、バスバーを多数用いており、バスバーが金型を用いて製造されることから、車両のマイナーチェンジ等に際し、特許文献１のランプと同等以上に、ランプの製造費がかさむことになる。
【００１０】
本発明の目的は、これらの課題を解決できる発光素子接続ユニット等を提供することである。
【課題を解決するための手段】
【００１１】
請求項１に係る発明は、発光素子の２つのリード部をそれぞれ２本の電線へと接続する発光素子接続ユニットである。この発光素子接続ユニットは、２つの端子と、ハウジングと、カバーとを備えている。
２つの端子は、それぞれ、その上部が発光素子の各リード部に接触し得て、その下部が各電線に接触し得るようになっている。ハウジングは、各端子が上下を貫通するように各端子を収容する。カバーは、ハウジングが端子を収容した状態で、発光素子の各リード部が各端子に接触可能に各端子の上部を覆う。
本発光素子接続ユニットは、各端子が、バネ部と、接合部と、屈曲部と、係止部とを有しており、ハウジングが、２つの上側挿入孔と、２つの接触部と、２つの下側挿入孔と、２つの係合部とを有することを特徴とする。
各端子において、バネ部は、端子の上部に設けられ、カバーが端子の上部を覆った状態で、発光素子の各リード部を押圧可能となっている。接合部は、端子の下部に設けられ、ハウジングが端子を収容した状態で、電線に接合される。屈曲部は、バネ部と接合部との間で側方へと屈曲している。係止部は、ハウジングが端子を収容した状態で、ハウジングと係止するようになっている。
ハウジングにおいて、２つの上側挿入孔は、それぞれ、各端子がその下端側から挿入され得るようになっている。２つの接触部は、それぞれ、各上側挿入孔の下端に形成され、各端子の屈曲部の下面に接触して各端子の下方への移動を規制する。２つの下側挿入孔は、それぞれ、各接触部の下方に形成されており、各端子の屈曲部より下側の部分が、その下端側から挿入され得るようになっている。２つの係合部は、それぞれ、各端子の係止部と係合して各端子の移動を規制する。
請求項２に係る発明は、請求項１に係る発明において、カバーと、ハウジングとが次の構成を有することを特徴とする。即ち、カバーは、側面に形成された係止孔を有し、ハウジングは突部を有する。このハウジングの突部は、各側壁面が各上側挿入孔の内側の内壁面から連続し、各端子の側面が上記各側壁面に当接するように、上方へと突出している。これとともに、この突部には、カバーの係止孔に挿入され得る係止突起が形成されている。
請求項３に係る発明は、請求項１又は請求項２に係る発明において、上記カバーに、発光素子の各リード部の断面に合わせた断面形状を持つ挿通孔が形成されていることを特徴とする。
請求項４に係る発明は、電線により複数接続された、請求項１乃至請求項３のいずれか一項に係る発光素子接続ユニットを備えたことを特徴とするランプである。
【発明の効果】
【００１２】
本発明の発光素子接続ユニットによると、各ユニットごとに、発光素子を個別のハウジングに組み付け、これを所定の基台に組み付けるといった工程で組み付け作業を行うことができる。そのため、この発光素子接続ユニットは、従来よりも組み付け作業がし易い。また、この発光素子接続ユニットは、短冊状の端子に合わせた縦長の形状にすることができるため、小型化が容易であり、基台上での占有面積を小さくすることができる。これはまた、ランプの意匠を変更した場合であっても、異なる意匠のランプ間で流用できる部品を多くすることを可能にしている。これらによって、ランプの製造費が従来よりも抑えられることになる。
【発明を実施するための最良の形態】
【００１３】
以下、本発明の実施の形態を、図面を参照しつつ詳細に説明する。
（第１の実施の形態）
本発明に係る第１の実施の形態であるＬＥＤ接続ユニット１について先ず説明する。図１（ａ）の斜視図に示すように、本ＬＥＤ接続ユニット１は、ＬＥＤ（発光素子の一例）１０と、カバー２０と、ハウジング３０と、電線４１，４２とを含んでいる。このＬＥＤ接続ユニット１は、図１（ｂ）の断面図に示すように、その内部に端子５１，５２を有する。（この図１（ｂ）は、図１（ａ）におけるＸ−Ｘを含んだ縦断面を示している。）端子５１は、ＬＥＤ１０のリード部１１を電線４１に接続するようになっており、また、端子５２は、ＬＥＤ１０のリード部１２を電線４２に接続するようになっている。
【００１４】
各部１０，２０，３０，４１，４２，５１，５２は、図２に示す外観を有する。即ち、端子５１，５２は短冊状に延びている。端子５１の上部がＬＥＤ１０のリード部１１に接触し得て、また、その下部が電線４１に接触し得る。端子５２も同様に、ＬＥＤ１０のリード部１２及び電線４２に接触可能になっている。
【００１５】
ハウジング３０は、端子５１，５２がこのハウジング３０の上下を貫通するようにして、これら端子５１，５２を収容する。カバー２０は、ハウジング３０が各端子５１，５２を収容した状態で、平型リードタイプのＬＥＤ１０の各リード部１１，１２が、上記各端子５１，５２に接触可能な状態で、各端子５１，５２の上部を覆うようになっている。
【００１６】
これら各部１０，２０，３０，４１，４２，５１，５２が順に組み付けられて、図１（ａ）のＬＥＤ接続ユニット１が完成する。以下、このＬＥＤ接続ユニット１の組み立ての手順とともに、各部１０，２０，３０，４１，４２，５１，５２の構成について詳述する。
【００１７】
ＬＥＤ接続ユニット１の組み立てに際して、先ず、（１）ハウジング３０に、端子５１，５２が組み込まれる。図３は、この組み込み直後の状態を示す。
【００１８】
端子５１は、より詳しくは、前図２のように、バネ部５１ａと、接合部５１ｂと、屈曲部５１ｃと、係止部５１ｄとを有する。このバネ部５１ａは、端子５１の上部に設けられていて、端子５１の上部の全体がカバー２０により覆われた状態で、側方外側へと（図１（ｂ）に向かって左側へと）、ＬＥＤ１０のリード部１１を押圧可能となっている。接合部５１ｂは、端子５１の下部に設けられていて、端子５１がハウジング３０へと収容された後に、電線４１に圧接される。
【００１９】
屈曲部５１ｃは、バネ部５１ａと接合部５１ｂとの間に形成され、上下方向から側方外側へと屈曲した形状となっている。係止部５１ｄは、例えば、この屈曲部５１ｃと接合部５１との間、屈曲部５１ｃの直下に設けられる。この係止部５１ｄは、ハウジング３０が端子５１を収容した状態で、ハウジング３０と係止するものであり、ここでは、端子５１がハウジング３０へと収容された直後に、側方外側へと開き得るようになっている。
端子５２も、端子５１と同様に、バネ部５２ａ、接合部５２ｂ、屈曲部５２ｃ及び係止部５２ｄを有している（図１（ｂ）、図２）。
【００２０】
これらの形状の端子５１，５２に対して、ハウジング３０は、図１（ｂ）のように、上側挿入孔３１ａ，３２ａ、接触部３１ｂ，３２ｂ、下側挿入孔３１ｃ，３２ｃ、係合部３１ｄ，３２ｄ及び突部３３を有する。上側挿入孔３１ａ及び下側挿入孔３１ｃは連通していて、これら上側挿入孔３１ａ及び下側挿入孔３１ｃが合わさって、ハウジング３０を上下に貫通している。同様に、上側挿入孔３２ａ及び下側挿入孔３２ｃが連通している。
【００２１】
詳細には、上側挿入孔３１ａは、その断面が、端子５１の屈曲部５１ｃの形状に合わせて矩形状に形成されている。この上側挿入孔３１ａには、端子５１の係止部５１ｄが折り畳まれた状態で、即ち、同図１（ｂ）にて係止部５１ｄが上下方向へと延びるように閉じた状態で、この端子５１がその下端側から挿入され得る。
【００２２】
接触部３１ｂは、上側挿入孔３１ａの下端に形成されている。この接触部３１ｂが端子５１の屈曲部５１ｃの下面に接触することにより、端子５１ｃの下方への移動が規制されるようになっている。
【００２３】
さらに、下側挿入孔３１ｃが、接触部３１ｂの下方に形成されている。この下側挿入孔３１ｃには、端子５１の係止部５１ｄが折り畳まれた状態で、端子５１の屈曲部５１ｃより下側の部分が、その下端側から挿入され得る。
【００２４】
係合部３１ｄは、下側挿入孔３１ｃの外側（図１（ｂ）の左側）の側壁面に形成されている。この係合部３１ｄは、係止部５１に合わせて、係止部５１を係合させる形状を有する。ここでは、係合部３１ｄは、図１（ｂ）のように端子５１の係止部５１ｄが開いた状態で、この係止部５１ｄと係合するようになっている。ハウジング３０の係合部３１ｄと、端子５１の係止部５１とのこの係合によって、端子５１の上方への移動が規制されることになる。
【００２５】
突部３３は、ハウジング３０から上方へと突出している。突部３３の左側の側壁面６１が、上側挿入孔３１ａの内側（右側）の内壁面から連続しており、端子５１の上部における内側の側面が、突部３３の側壁面６１に当接するようになっている。同様に、突部３３の右側の側壁面６２が、上側挿入孔３２ａの内側（左側）の内壁面から連続しており、端子５２の上部における内側の側面が、側壁面６２に当接するようになっている。
【００２６】
これらの構成の端子５１及びハウジング３０において、（１−１）端子５１の下端側から上側挿入孔３１ａの開口部ａ１へと、端子５１が挿入されていく。この際、係止部５１ｄは折り畳まれたままとなっている。さらに、（１−２）その挿入を続けると、端子５１の下端が、下側挿入孔３１ｃの上端となる開口部ｂ１に達する。
【００２７】
（１−３）さらに奥側へと挿入すると、端子５１の屈曲部５１ｃより下側の部分のすべてが、下側挿入孔３１ｃの開口部ｂ１を通過する。この直後に、端子５１の係止部５１ｄが開いて、係合部３１ｄに係合する。
【００２８】
端子５１の係止部５１ｄと、ハウジング３０の係合部３１ｄとのこの係合によって、端子５１の上方への移動が規制され、また、端子５１の屈曲部５１ｃと、ハウジング３０の接触部３１ｂとの接触によって、端子５１の下方への移動が規制される。
【００２９】
端子５２もまた同様にして、その下端から、上側挿入孔３１ａの開口部ａ２及び下側挿入孔３１ｃの開口部ｂ２を介して、ハウジング３０に組み込まれる。またこの組み込み後には、同様に、端子５２の係止部５２ｄと、ハウジング３０の係合部３２ｄとの係合によって、端子５２の上方への移動が規制され、端子５２の屈曲部５２ｃと、ハウジング３０の接触部３２ｂとの接触によって、端子５２の下方への移動が規制される。
【００３０】
続いて、（２）電線４１、４２が、それぞれ、端子５１の接合部５１ｂ、端子５２の接合部５２ｂに圧接される。図４は、この圧接後の状態を模式的に表している。実際には、上述のようにして端子５１，５２がハウジング３０に組み込まれているから、端子５２のバネ部５２ａより下側の部分は、図３のようにハウジング３０に隠れている。
【００３１】
（３）カバー２０の上面には、図５に示すように挿入孔２１，２２が形成されている。ＬＥＤ１０は、先述のように、平型リードタイプであり、図６のようにリード部１１，１２が開かれた状態で販売されている。このＬＥＤ１０のリード部１１，１２の付け根が９０度折り曲げられた後、このリード部１１，１２が、それぞれ、カバー２０の挿入孔２１，２２に挿入されるようになっている（図５）。図７は、ＬＥＤ１０のカバー２０への挿入後の状態を示している。
【００３２】
（４）図７のＬＥＤ１０が取り付けられた状態のカバー２０が、図３の端子５１，５２及び電線４１，４２が取り付けられた状態のハウジング３０に装着され、これにより、ＬＥＤ接続ユニット１の組み立てが完了する（図１（ａ））。
【００３３】
即ち、図２のように、カバー２０の前側の側面には係止孔２３が形成されており、その後側の側面には係止孔２４が形成されている。加えて、ハウジング３０の突部３３の前側の側壁面には係止突起３４が形成されており、突部３３の後側の側壁面には係止突起３５が形成されている。突部３３の係止突起３４，３５が、それぞれ、カバー２０の係止孔２３，２４に挿入されることによって、カバー２０のハウジング３０への装着が行われる。
【００３４】
そして、このカバー２０の装着により、ＬＥＤ１０のリード部１１が、端子５１のバネ部５１ａに接続されるとともに、ＬＥＤ１０のリード部１２が、端子５２のバネ部５２ａに接続されるようになっている。
【００３５】
つまり、図１（ｂ）のように、端子５１のバネ部５１ａは、ＬＥＤ１０のリード部１１がカバー２０の挿通孔２１に挿入された状態で、リード部１１を、カバー２０の内壁面側へと押圧している。また、同様に、端子５２のバネ部５２ａは、ＬＥＤ１０のリード部１２がカバー２０の挿通孔２２に挿入された状態で、リード部１２を、カバー２０の内壁面側へと側へと押圧している。
【００３６】
以上のＬＥＤ接続ユニット１を、複数個、所定の基台に取り付けることによって、ランプを作製することができる。即ち、図８（ａ）は、一の意匠におけるランプ７０（所定のランプカバーを外した状態のもの）の表面を示しており、図８（ｂ）は、このランプ７０の背面を示している。ここでは、複数のＬＥＤ接続ユニット１が、基台７１上で格子点状に並ぶように配置されている。基台７１は、ＬＥＤ接続ユニット１のカバー２０及びハウジング３０の形状に合わせて予め穴あけ加工されている。電線４１，４２は、所定の回路基板へと接続されていて、ランプ７０の点灯が制御されるようになっている。
【００３７】
さらに、図９（ａ）は、他の意匠におけるランプ８０の表面を示しており、図９（ｂ）は、このランプ８０の背面を示している。ここでは、複数のＬＥＤ接続ユニット１が、基台８１上に円形に並ぶように配置されている。
【００３８】
図８及び図９によると、上述したＬＥＤ接続ユニット１が、異なる意匠のランプ７０，８０において、そのまま用いられていることが確認できる。つまり、ＬＥＤ接続ユニット１は、縦長の小型化された形状となっているため、基台上での占有面積が小さい。このことはまた、ランプの意匠を変更した場合であっても、その変更にＬＥＤ接続ユニット１が柔軟に適応可能であることを意味している。言い換えれば、異なる車種間でのランプの部品について、標準化を図ることが可能である。
【００３９】
これらとともに、ＬＥＤ接続ユニット１によると、従来のように、比較的大きな基台に直接取り付けが行われるものではなく、バスバーなどの部品が用いられておらず、また、熱溶着などの工程が必要でない。そのため、ランプの組み付け作業の短時間化を図りながら、ランプの製造費を抑制することが可能である。
【００４０】
（第２の実施の形態）
続いて、第２の実施の形態であるＬＥＤ接続ユニットにつき説明する。本実施の形態では、図１０に示す角棒型リードタイプのＬＥＤ１５が用いられ、カバー９０（図１１）には、その角棒型となったリード部１６，１７の形状に合わせて、挿入孔９１，９２が設けられている点が、第１の実施の形態と異なる。
【００４１】
つまり、本発明のＬＥＤ接続ユニットは、その部品の一つであるカバーの挿通孔を、ＬＥＤのリード部の断面形状に合わせて形成することによって、ＬＥＤのカバーへの装着性を保ちながら、多様なランプの意匠への適応が可能である。
【００４２】
当然ながら、この第２の実施の形態のＬＥＤ接続ユニットよっても、第１の実施の形態のＬＥＤ接続ユニットと同様、ランプの組み付け作業を短時間化しつつ、ランプの製造費を抑制することができるといった効果がもたらされる。
【００４３】
（他の実施の形態等）
以上、具体的な実施の形態により本発明を説明したが、本発明は、上記実施の形態に限定されず、本発明の要旨を逸脱しない範囲で変更して実施することができる。
Ａ．  例えば、ハウジング３０の突部３３から外側へと、端子５１，５２、ＬＥＤ１０のリード部１１，１２及びカバー２０が順に接するものとした。これらの順はどのようになっていてもよい。具体的には、ＬＥＤ１０のリード部１１，１２の外側に、端子５１，５２が位置していてもよい。ただ、ＬＥＤ接続ユニットの小型化の観点からすれば、ＬＥＤ１０のリード部１１，１２がなるべく開かないように、各部１１，１２，２０，３３，５１，５２を構成することが望ましい。
【００４４】
Ｂ．  端子５１のバネ部５１ａ、端子５２のバネ部５２ａは、それぞれ、外側へと、直接、ＬＥＤ１０のリード部１１，１２を押圧するものとした。これとは異なり、端子５１，５２のバネ部５１ａ，５２ａは、内側に向かって、ハウジング３０の突部３３を押圧するようになっていてもよい。この場合、端子５１，５２の上部は、そのバネ部５１ａ，５２ａのバネ力により、外側へと、ＬＥＤ１０のリード部１１，１２を押圧することになる。
【００４５】
Ｃ．  端子５１の屈曲部５１ｃ、及び、端子５２の屈曲部５２ｃは、上部から下部に向かって、側方外側へと（突部３３から離れるように）屈曲するように形成した。これとは反対に、上部から下部に向かって、側方内側へと（突部３３に向かうように）屈曲するように形成してもよい。この場合、これに合わせて、下側挿入孔３１ｃ，３２ｃは上記実施の形態より内側に形成する。
【００４６】
Ｄ．  端子５１の係止部５１ｄ及び端子５２の係止部５２ｄは、外側へと開き得るようになっていた。当然ながら、係止部５１ｄ，５２ｄが内側へと開くようにし、これに合わせて、ハウジング３０の係合部を形成してもよい。
【図面の簡単な説明】
【００４７】
【図１】本発明に係る第１の実施の形態であるＬＥＤ接続ユニットの外観及び縦断面を示す図である。
【図２】ＬＥＤ接続ユニットを構成する各部を説明するためのＬＥＤ接続ユニットの分解斜視図である。
【図３】端子を組み込んだ後のハウジングを示す斜視図である。
【図４】電線が圧接された端子を模式的に示す斜視図である。
【図５】ＬＥＤのカバーへの挿入を説明するための第１の図である。
【図６】平型リードタイプのＬＥＤを示す図である。
【図７】ＬＥＤが挿入された後のカバーを示す斜視図である。
【図８】一の意匠におけるランプを示す図である。
【図９】他の意匠におけるランプを示す図である。
【図１０】第２の実施の形態のＬＥＤ接続ユニットで用いる角棒型リードタイプのＬＥＤを示す図である。
【図１１】ＬＥＤのカバーへの挿入を説明するための第２の図である。
【図１２】バスバーが用いられた、従来のランプを示す図である。
【符号の説明】
【００４８】
１……………………ＬＥＤ接続ユニット
１０，１５…………ＬＥＤ
１１，１２…………ＬＥＤ１０のリード部
１６，１７…………ＬＥＤ１５のリード部
２０，９０…………カバー
２１，２２…………カバー２０の挿入孔
２３…………………係止孔
３０…………………ハウジング
３１ａ，３２ａ……上側挿入孔
３１ｂ，３２ｂ……接触部
３１ｃ，３２ｃ……下側挿入孔
３１ｄ，３２ｄ……係合部
３３…………………突部
３４，３５…………係止突起
４１，４２…………電線
５１，５２…………端子
５１ａ，５２ａ……バネ部
５１ｂ，５２ｂ……接合部
５１ｃ，５２ｃ……屈曲部
５１ｄ，５２ｄ……係止部
６１，６２…………突部３３の側壁面
７０，８０…………ランプ
７１，８１…………ランプの基台
９１，９２…………カバー９０の挿入孔
【図１】
0004868528.tif 000002
【図２】
0004868528.tif 000003
【図３】
0004868528.tif 000004
【図４】
0004868528.tif 000005
【図５】
0004868528.tif 000006
【図６】
0004868528.tif 000007
【図７】
0004868528.tif 000008
【図８】
0004868528.tif 000009
【図９】
0004868528.tif 000010
【図１０】
0004868528.tif 000011
【図１１】
0004868528.tif 000012
【図１２】
0004868528.tif 000013